(57)【要約】【課題】土木、建築などの工事現場で構築される枠組足場を安全に組み立てたり、解体できるようにすることにある。【解決手段】建築用等の枠組足場１の建枠２の脚柱８に手摺３の支柱部４を昇降可能に配設するとともに、枠組足場１の組み立て、解体時にこの手摺３の支柱部４の昇降に対応可能に上記手摺３の支柱部４間に安全柵用の横棧１７を伸縮自在に接続している。特に、手摺３の安全柵用の横棧１７を屈曲自在にリンク接続して支柱部４間に装着し、手摺３の支柱部４を細長い箱枠状に形成し、この細長い箱枠状の支柱部４内に挟着摺動材７を配設して建枠２の脚柱８を挟着状態とするようにしている。また、手摺３を建枠２の所定の位置に係止可能にストッパー９を設け、手摺３を上下に移動するときにストッパー９を解放自在に形成し、所定位置に停止するときにストッパー９を建枠２に突設した横材等の係止材１３に引っ掛けて係止するように形成している。【選択図】    図１
2004316227.tif 000002
【特許請求の範囲】
【請求項１】
建築用等の枠組足場の建枠の脚柱に手摺の支柱部を昇降可能に配設するとともに、枠組足場の組み立て、解体時にこの手摺の支柱部の昇降に対応可能に上記手摺の支柱部間に安全柵用の横棧を屈曲自在または伸縮自在に接続したことを特徴とする建築用等の枠組足場の手摺。
【請求項２】
手摺の安全柵用の横棧を屈曲自在にリンク接続して支柱部間に装着した請求項１に記載の建築用等の枠組足場の手摺。
【請求項３】
手摺の安全柵用の横棧を伸縮自在に嵌装して支柱部間に装着した請求項１に記載の建築用等の枠組足場の手摺。
【請求項４】
手摺の支柱部を細長い箱枠状に形成し、この細長い箱枠状の支柱部内に挟着摺動材を配設して枠組足場の建枠の脚柱を挟着して昇降可能に形成した請求項１ないし３のいずれかに記載の建築用等の枠組足場の手摺。
【請求項５】
手摺を建枠の所定の位置に係止可能にストッパーを設け、手摺を昇降するときにストッパーを解放自在に形成し、所定位置に停止するときにストッパーを枠組足場の建枠に突設した横材に引っ掛けて係止するように形成した請求項１ないし４のいずれかに記載の建築用等の枠組足場の手摺。
【発明の詳細な説明】
【０００１】
【発明の属する技術分野】
本発明は、土木、建築などの工事分野において、建築物の外壁などにそって設置する建築用等の枠組足場の手摺に関するものである。
【０００２】
【従来の技術】
土木、建築の建設工事現場において、枠組足場の建枠を上下方向、左右方向に所要数連結して枠組足場を構築して施工しているが、その組み立てや解体では作業員はその最上段の足場の上に乗ってその作業を行っている。
【０００３】
しかし、最上段の足場には、その周囲に安全のための柱や手摺が無いことがあり、作業に恐怖感を憶えたり、転落などの危険性があった。
【０００４】
【先行技術文献】
そこで、出願人は、上記のような枠組足場の安全手摺について特許調査を行った結果、特開平７−２７９４０４号公報、特開２００２−２２０９２６号公報、特開２００２−２０６３３６号公報が検索できた。
【０００５】
【発明が解決しようとする課題】
これらについて検討したところ、これらの先行技術資料はいずれも、足場用建枠の両側の縦材に手摺を取着して、作業の安全をはかることが提案されている。しかし、手摺は、建枠の縦材の所定の位置でクランプするようにしているが、これらの手摺同士を連結していない。
【０００６】
このように、枠組足場に手摺が配設されているが、建枠を順次組み立てたり、分解する際には手摺はぐらぐらして安全性に乏しい。そのため、隣接する手摺同士を締結金具で締結して強化することも行われているが、迅速に建枠を組み立てたり、解体しにくくなるとともに、その作業に手間がかかるもので、簡易、迅速に安全な枠組足場を組み立て、解体できる建築用の枠組足場を開発するのが課題であった。
【０００７】
【課題を解決するための手段】
本発明は、上記のような点に鑑みたもので、上記の課題を解決するために、建築用等の枠組足場の建枠の脚柱に手摺の支柱部を昇降可能に配設するとともに、枠組足場の組み立て、解体時にこの手摺の支柱部の昇降に対応可能に上記手摺の支柱部間に安全柵用の横棧を屈曲自在または伸縮自在に接続したことを特徴とする建築用等の足場の手摺を提供するにある。
【０００８】
【発明の実施の形態】
本発明の建築用等の足場の手摺は、建築用等の枠組足場の建枠の脚柱に手摺の支柱部を昇降可能に配設するとともに、枠組足場の組み立て、解体時にこの手摺の支柱部の昇降に対応可能に上記手摺の支柱部間に安全柵用の横棧を屈曲自在または伸縮自在に接続したことを特徴としている。
【０００９】
土木や建築用等の枠組足場１は、図１（ａ）、（ｂ）のように従来の枠組足場用の建枠２を上下方向、左右方向に連結し、所要の高さ、幅に組み立てて構築できるもので、その建枠２に手摺３を昇降摺動可能として枠組足場１を安全に組み立て、解体作業を行えるようにしている。
【００１０】
手摺３は、図１、図２のようにその支柱部４を細長い箱枠状に形成し、この支柱部４の両側の平行の垂直材５に所定の間隔で水平材６を架設し、図３のように水平材６にガイドローラの挟着摺動材７を所定の角度のほぼハの字状に傾けて軸着し、その間に建枠２の脚柱８に挟着して所定距離にわたって昇降摺動可能としているものである。
【００１１】
そして、このような支柱部４の中程部に、図１、図２のようにストッパー９を配設しているもので、ストッパー９は図４（ａ）、（ｂ）のように支柱部４の両側の垂直材５に水平材１０を配設し、この水平材１０に所要の間隔、建枠２の脚柱８よりも広い間隔で左右対称状にストッパー部材１１をやや後方側に突き出してコイルスプリング等のばね１２に抗して開閉可能に配設し、手摺３を上方側に移動するときは建枠２の横材１３の端部に当接しても自由に開いて通過し、手摺３を下方に移動するときは建枠２の横材１３の端部に当接すると横材１３の側面にそって引っ掛けて係止して組み付けておけるようにしている。
【００１２】
上記ストッパー部材１１には、図４（ａ）、（ｂ）のように左右のストッパー部材１１の下方側に建枠２に当たらないようにＶ字状にリンク材１４を接続してその接合部１５に押上材１６を取り付け、押上材１６をばね１２に抗して押し上げることによって、左右のストッパー部材１１を左右に押し拡げ、係止材１３を通過して手摺３を上方や下方に自由に移動できるようにして組み立て、解体を容易にできるようにしている。
【００１３】
上記したストッパー９としては、公知のクランプ材等を使用して建枠２の所要の位置に係止させるようにもできる。
【００１４】
このように形成した手摺３の支柱部４間には、図１、図２のように安全柵用の横棧１７を上下二段等の多段状にボルト、ナットや公知の着脱手段を介して架設するようにしているとともに、隣り合う手摺３のぐらつきを防止できるように精度よく密接して取着するようにしている。
【００１５】
上記した横棧１７は、伸縮自在にそれぞれの支柱部４の垂直材５に接続して枠組足場１の建枠２の組み立て、解体時に取り外す必要がなく、支柱部４間を接続できるようにしているもので、たとえば図１、図２に示すように手摺３の昇降量に対応して横棧１７の一端部側を屈曲自在にリンク材１８を介して支柱部４間に接続し、常に支柱部４間に横棧１７を架設状態とした安全柵としている。
【００１６】
上記横棧１７の伸縮手段としては、上記した屈曲自在なものの他に、ジグザグ状や平行拡縮格子状、パンタグラフ状の平行リンク状の伸縮自在のものや、横棧を伸縮自在に平行に並べたり、同心円状に二重筒状等に嵌装した伸縮自在のものなど、本発明の趣旨にもとづいて適宜の変形態様が実施できる。
【００１７】
この横棧の接続手段や取着手段としては、周知のボルト、ナットで行なうことができるが、着脱自在に茄子環接続、蝶番ボルト・柄付きナット接続、回転して掛け外しできる締め付けボルト接続などとするのが作業効率を向上できて好ましい。
【００１８】
【実施例】
図１以下は、本発明の一実施例を示すものである。所定の高さ、幅に組み立てる枠組足場１の建枠２の脚柱８に、手摺３の上記した細長い箱枠状の支柱部４に配設した上下の挟着摺動材７の左右のガイドローラをそれぞれ挟着して手摺３を配設するようにしたもので、この支柱部４の左右の垂直材５に横棧１７を上下二段にそれぞれリンク接続して枢着して接続し、隣り合う支柱部４を強化するようにしている。
【００１９】
そして、手摺３の支柱部４を建枠２間に架設した足場板１９に登載して図１、図２のように建枠２にそって上方に押し上げると、支柱部４は建枠２の脚柱８にそって上昇し、建枠２の横材１３にストッパー９が通過した状態で停止すると、ストッパー部材１１がばね１２で引き寄せられて閉じて横材１３に引っ掛けて係止させることができる。
【００２０】
また、支柱部４の側部の横棧１７は、リンク部材１８が側方に突き出て斜めに伸び、隣りの支柱部４を上昇すると、突き出たリンク部材１８は元の状態にへこみ、横棧１７が水平に支柱部４間に架設した状態となって安全に足場板１９を順次組み上げていくようにしている。
【００２１】
したがって、枠組足場１を組み立てるのに、たとえば図１、図２のように先ず最下段となる建枠２の脚柱８の間に足場板１９を架設し、その足場板１９に登載して手摺３の挟着摺動材７を上記建枠２の脚柱８に挿入して支柱部４を挟着するようにして装着していく。そして、この支柱部４の両側の垂直材５に予め一端を取り付けた横棧１７、リンク材１８を図１、図２のようにリンク接続し、横棧１７による安全柵を形成していく。
【００２２】
ついで、上記した建枠２の上に上位となる建枠２を図１、図２のように組み立て、足場板１９を持ち上げて上段に架設し、上記したように手摺３の支柱部４を建枠２間に架設した足場板１９に登載して建枠２にそって上方に押し上げて、手摺３を建枠２の上段に移動していく。このようにして建枠２の上に順次建枠２、足場板１９を組み上げて、手摺３を順次組み立てる建枠２の上方へ移動していって、常に横棧１７を支柱部４間に接続した状態で組み立て作業を行うことができるものである。
【００２３】
また、枠組足場１を解体するにあっても、逆に、組み立てた最上段の建枠２の手摺３のストッパー１６を押して支柱部４を図１、図２のように下げていき、上位の建枠２を順次解体していくことができるもので、この際にも、手摺３の横棧１７は常に支柱部４間に接続した状態を維持できるので、安全に作業を遂行することができる。
【００２４】
このように手摺３の支柱部４間に常に横棧１７を接続した状態で枠組足場１の組み立て、解体の作業ができ、かつ支柱部４を隣り合う横棧１７で補強できて支柱部４のぐらつきも防止できるものである。
【００２５】
また、支柱部４を細長い箱枠状として建枠２の脚柱８を抱き込みように挟着しているので、手摺３がはずれるおそれがなく、安全に維持することができるものである。
【００２６】
【発明の効果】
以上のように本発明にあっては、建築用等の枠組足場の建枠の脚柱に手摺の支柱部を昇降可能にそれぞれ配設して、これらの支柱部間に手摺の安全柵用の横棧を手摺の支柱部の昇降に対しても、常に支柱部間に横棧を接続した状態の安全柵とでき、しかも隣り合う支柱部を横棧で補強できて支柱部のぐらつきを防止できて安全に枠組足場の組み立て、解体作業を行うことができる。
【００２７】
特に、手摺の安全柵用の横棧を屈曲自在にリンク接続して支柱部間に装着することによって、手摺の安全柵の横棧を上記のように接続した状態に維持することができる。
【００２８】
また、手摺の安全柵用の横棧を伸縮自在に重ね合わせたり、嵌合して支柱部間に装着することによっても、手摺の安全柵の横棧を上記のように接続した状態に維持することができる。
【００２９】
さらに、手摺の支柱部部を細長い箱枠状に形成して、この細長い箱枠状の支柱部内に挟着摺動材を配設して枠組足場の建枠の脚柱を挟着して昇降可能に形成することによって、手摺の支柱部を建枠の脚柱からはずれなく、安全に作業を行うようにできるものである。
【００３０】
またさらに、手摺の支柱部に手摺を所定の位置に係止可能にストッパーを設け、手摺を昇降するときにストッパーを解放自在に形成し、所定位置に停止するときにストッパーが枠組足場の建枠に突設した横棧等の係止材に引っ掛けて係止するように形成することによって、建枠の脚柱にそって手摺の支柱部を昇降することで枠組足場を所定の位置に組み上げたり、分解することができ、簡易、迅速に作業を遂行できるものである。
【図面の簡単な説明】
【図１】本発明の一実施例の一部省略した説明用側面図（ａ）および正面図（ｂ）、
【図２】同上の手摺の支柱部および横棧部の拡大正面図、
【図３】同上の挟着摺動部の拡大平断面図、
【図４】同上のストッパー部の側断面図（ａ）および正面図（ｂ）。
【符号の説明】
１…足場                    ２…建枠              ３…手摺
４…支柱部                  ５…垂直材            ６…水平材
７…挟着摺動材              ８…脚柱              ９…ストッパー
１１…ストッパー部材        １７…横棧            １８…リンク材
１９…足場板
【図１】
2004316227.tif 000003
【図２】
2004316227.tif 000004
【図３】
2004316227.tif 000005
【図４】
2004316227.tif 000006